(57)【要約】【課題】  養生シートに、外部において風があるときにはこの風を吹き込ませ、外部において風がないときには、内部で発生した塵埃や塗料等の外部への通過を遮断する機能を持たせる。【解決手段】  養生シート本体１Ａの全体にわたって所定の間隔で所定の直径の通気穴２を設ける。該通気穴２の夫々の、養生シート本体１Ａの張設時に内側となる面側に、該通気穴２への養生シート本体１Ａの張設時に外側となる面側からの風の吹き込みがないときには略直角に垂れて該通気穴２を閉塞する一方、風の吹き込みがあるときには伸びて該通気穴２を開放する、適度の柔軟性と重量及び長さを有する吹き流し様の筒状通気穴開閉体３を取り付ける。【選択図】  図２
2015004259.tif 000002
【特許請求の範囲】
【請求項１】
養生シート本体の全体にわたって所定の間隔で所定の直径の通気穴を設けると共に、該通気穴の夫々の、養生シート本体の張設時に内側となる面側に、該通気穴への養生シート本体の張設時に外側となる面側からの風の吹き込みがないときには略直角に垂れて該通気穴を閉塞する一方、風の吹き込みがあるときには伸びて該通気穴を開放する、適度の柔軟性と重量及び長さを有する吹き流し様の筒状通気穴開閉体を取り付けてなることを特徴とする養生シート。
【請求項２】
養生シートが、樹脂製メッシュシート又はゴムシートのいずれかである請求項１記載の養生シート。
【請求項３】
筒状通気穴開閉体が、薄いゴムフィルムからなる筒状通気穴開閉体である請求項１又は２記載の養生シート。
【請求項４】
筒状通気穴開閉体を、一方側の開口端にリング状抜け止め部を形成した筒状通気穴開閉体とし、該筒状通気穴開閉体のリング状抜け止め部を、通気穴より大径で、周面に全周にわたって凹部を形成し、該凹部に通気穴を嵌め込むことによって養生シート本体に固定したゴム又は樹脂からなる環状連結体における前記凹部に嵌め込み、もって筒状通気穴開閉体を通気穴に取り付けてなる請求項１、２又は３記載の養生シート。
【発明の詳細な説明】
【技術分野】
【０００１】
本発明は、建物の建築や塗装作業等をする際に、塵埃や塗料等の周囲への飛散を防止するために作業現場の周囲に張設する養生シートに関するものである。
【背景技術】
【０００２】
建物の建築や塗装作業等をする際には、塵埃や塗料等の周囲への飛散を防止するために作業現場の周囲に養生シートを張設するが、従来における斯かる養生シートは、ゴムシートの場合は勿論のこと、樹脂製メッシュシートであっても空気の流通が殆どなく、養生シートで囲まれた内側は蒸れ易く、特に夏期にあっては猛暑となり、作業者が熱中症に罹る場合もある。また、暑さに耐えきれず養生シートを一部開いたりすると、この部分から塵埃や塗料等が飛散し、周囲に迷惑をかけることになる。
【発明の概要】
【発明が解決しようとする課題】
【０００３】
本発明は上記の点に鑑みなされたものであって、、養生シートに、外部において風があるときにはこの風を吹き込ませ、また反対に、外部において風がないときには、内部で発生した塵埃や塗料等の外部への通過を遮断する機能を持たせ、もって上記従来の養生シートにおける問題点を解消することができるようになした養生シートを提供しようとするものである。
【課題を解決するための手段】
【０００４】
而して、本発明の要旨とするところは、養生シート本体の全体にわたって所定の間隔で所定の直径の通気穴を設けると共に、該通気穴の夫々の、養生シート本体の張設時に内側となる面側に、該通気穴への養生シート本体の張設時に外側となる面側からの風の吹き込みがないときには略直角に垂れて該通気穴を閉塞する一方、風の吹き込みがあるときには伸びて該通気穴を開放する、適度の柔軟性と重量及び長さを有する吹き流し様の筒状通気穴開閉体を取り付けてなることを特徴とする養生シートにある。
【０００５】
また、上記構成において、養生シートは、樹脂製メッシュシート又はゴムシートのいずれでもよく、また筒状通気穴開閉体は、薄いゴムフィルムからなるものが好ましい。
【０００６】
また、上記構成において、筒状通気穴開閉体を、一方側の開口端にリング状抜け止め部を形成した筒状通気穴開閉体とし、該筒状通気穴開閉体のリング状抜け止め部を、通気穴より大径で、周面に全周にわたって凹部を形成し、該凹部に通気穴を嵌め込むことによって養生シート本体に固定したゴム又は樹脂からなる環状連結体における前記凹部に嵌め込み、もって筒状通気穴開閉体を通気穴に取り付けるようになしてもよい。
【発明の効果】
【０００７】
本発明は、上記の如き構成であるから、養生シートに、外部において風があるときにはこの風を吹き込ませ、また反対に、外部において風がないときには、内部で発生した塵埃や塗料等の外部への通過を遮断する機能を持たせることができるものである。もって、従来の養生シートにおける問題点を解消することができるものである。
【０００８】
また、筒状通気穴開閉体を、一方側の開口端にリング状抜け止め部を形成した筒状通気穴開閉体とし、該筒状通気穴開閉体のリング状抜け止め部を、通気穴より大径で、周面に全周にわたって凹部を形成し、該凹部に通気穴を嵌め込むことによって養生シート本体に固定したゴム又は樹脂からなる環状連結体における前記凹部に嵌め込み、もって筒状通気穴開閉体を通気穴に取り付けるようになした場合には、筒状通気穴開閉体の通気穴への取り付けを簡単、迅速に行うことができると共に、一旦取り付けた後は容易に外れないように、しっかりと固定することができるものである。また、養生シート本体の通気穴を環状連結体の凹部に嵌め込み、この状態において該凹部に一緒に嵌め込む筒状通気穴開閉体のリング状抜け止め部によって該通気穴を凹部の垂直壁との間に強く挟み込むものであるから、環状連結体を養生シート本体に容易に外れないように固定することができるものである。
【図面の簡単な説明】
【０００９】
【図１】本発明の実施形態に係る養生シートの一部の通気穴に筒状通気穴開閉体を取り付けた状態の外部側から看た部分拡大斜視図である。
【図２】同内部側から看た部分拡大斜視図である。
【図３】同筒状通気穴開閉体と環状連結体の組み付け前の状態の縦断面図である。
【図４】同筒状通気穴開閉体と環状連結体の組み付け後において筒状通気穴開閉体のリング状抜け止め部を環状連結体の凹部から一部引き出した状態の斜視図である。
【図５】同作用説明図であり、通気穴が開放状態にあるときを示す縦断面図である。
【図６】同作用説明図であり、通気穴が閉塞状態にあるときを示す縦断面図である。
【発明を実施するための形態】
【００１０】
以下、本発明を実施するための形態について、図面を参照して説明する。
【００１１】
図中、１は樹脂製メッシュシートからなる養生シートである。２、２、２・・・は前記養生シート１の本体１Ａの全体にわたって所定の間隔で設けた所定の直径の通気穴である。尚、該通気穴２の直径は、本実施形態においては約２ｃｍとしている。
【００１２】
３は前記通気穴２、２、２・・・の夫々に取り付ける、適度の柔軟性と重量及び長さを有する吹き流し様の筒状通気穴開閉体である。尚、該筒状通気穴開閉体３は、本実施形態においては薄いゴムフィルムからなるものを用いている。また、該筒状通気穴開閉体３は、前記通気穴２、２、２・・・の夫々の、前記養生シート本体１Ａの張設時に内側となる面側に取り付けており、通気穴２への養生シート本体１Ａの張設時に外側となる面側からの風の吹き込みがないときには略直角に下に垂れて該通気穴２を閉塞し、また一方、風の吹き込みがあるときには伸びて該通気穴２を開放するものである。
【００１３】
また、本実施形態においては、筒状通気穴開閉体３を通気穴２に取り付ける手段として、該筒状通気穴開閉体３を、一方側の開口端にリング状抜け止め部３Ａを形成した筒状通気穴開閉体３とし、該筒状通気穴開閉体３のリング状抜け止め部３Ａを、通気穴２より大径で、周面に全周にわたって凹部４Ａを形成し、該凹部４Ａに通気穴２を嵌め込むことによって養生シート本体１Ａに固定したゴム又は樹脂からなる環状連結体４における前記凹部４Ａに嵌め込むようになした手段を採用している。尚、この場合において、リング状抜け止め部３Ａと養生シート本体１との間にワッシャー（図示せず。）を挟むことにより、又はこれを接着剤等（図示せず。）により接着すれば、リング状抜け止め部３Ａが養生シート本体１から抜け出ることを防止し、より強固に一体化することができるものである。
【００１４】
而して、上記実施形態によれば、図５に示す如く、外部において風があるときは、筒状通気穴開閉体３が内方へ伸びて通気穴２を開放し、矢標で示す如く外部から風を吹き込ませることができるものである。これにより養生シート１で囲まれた内側は、従来の養生シートにおけるが如く蒸れることがなく、作業環境の改善を図ることができるものである。また、外部において風がないときには、図６に示す如く、筒状通気穴開閉体３が略直角に下に垂れて通気穴２を閉塞するものである。これにより養生シート１で囲まれた内部で発生した塵埃や塗料等の外部への通過を遮断するものである。
【００１５】
また、筒状通気穴開閉体３を通気穴２に取り付ける手段として、該筒状通気穴開閉体３を、一方側の開口端にリング状抜け止め部３Ａを形成した筒状通気穴開閉体３とし、該筒状通気穴開閉体３のリング状抜け止め部３Ａを、通気穴２より大径で、周面に全周にわたって凹部４Ａを形成し、該凹部４Ａに通気穴２を嵌め込むことによって養生シート本体１Ａに固定したゴム又は樹脂からなる環状連結体４における前記凹部４Ａに嵌め込むようになした手段を採用しているから、筒状通気穴開閉体３の通気穴２への取り付けを簡単、迅速に行うことができると共に、一旦取り付けた後は容易に外れないように、しっかりと固定することができるものである。また、養生シート本体１Ａの通気穴２を環状連結体４の凹部４Ａに嵌め込み、この状態において該凹部４Ａに一緒に嵌め込む筒状通気穴開閉体３のリング状抜け止め部３Ａによって該通気穴２を凹部４Ａの垂直壁との間に強く挟み込むものであるから、環状連結体４を養生シート本体１に容易に外れないように固定することができるものである。
【符号の説明】
【００１６】
１  養生シート
１Ａ  養生シート本体
２  通気穴
３  筒状通気穴開閉体
３Ａ  リング状抜け止め部
４  環状連結体
４Ａ  凹部
【図１】
2015004259.tif 000003
【図２】
2015004259.tif 000004
【図３】
2015004259.tif 000005
【図４】
2015004259.tif 000006
【図５】
2015004259.tif 000007
【図６】
2015004259.tif 000008